(57)【要約】【課題】小型の設備で、高い水素回収率で高純度の水素を得ることが可能な水素の製造方法を提供する。【解決手段】脱水素反応器２中での芳香族炭化水素の水素化物の脱水素反応により高純度水素を製造する方法において、脱水素反応直後の気相を水素分離膜５を用いた水素の精製手段により純度９９.９９％以上の高純度水素とすると共に、得られた高純度水素の一部を前記脱水素反応器２へリサイクルする。なお、前記水素分離膜としては、Ｐｄ合金膜が好ましく、Ｐｄ−Ｃｕ合金膜が更に好ましい。【選択図】図１
2006232607.tif 000002
【特許請求の範囲】
【請求項１】
脱水素反応器中での芳香族炭化水素の水素化物の脱水素反応により高純度水素を製造する方法において、
脱水素反応直後の気相を水素分離膜を用いた水素の精製手段により純度９９.９９％以上の高純度水素とし、更に該高純度水素の一部を前記脱水素反応器へリサイクルすることを特徴とする水素製造方法。
【請求項２】
前記脱水素反応器が固定床流通式反応器であることを特徴とする請求項１に記載の水素製造方法。
【請求項３】
前記水素分離膜がＰｄ合金膜であることを特徴とする請求項１又は２に記載の水素製造方法。
【請求項４】
前記水素分離膜がＰｄ−Ｃｕ合金膜であることを特徴とする請求項３に記載の水素製造方法。
【請求項５】
前記芳香族炭化水素の水素化物の脱水素反応に用いる脱水素反応触媒が、白金、ルテニウム、パラジウム、ロジウム、スズ、レニウム、及びゲルマニウムよりなる群から選択される少なくとも１種の金属を多孔質担体に担持してなり、平均細孔径が４０〜１３０Åの範囲であることを特徴とする請求項１から４のいずれかに記載の水素製造方法。
【請求項６】
前記脱水素反応を、ＬＨＳＶが０.５〜４、反応温度が１００℃〜４５０℃、反応圧力が常圧〜２ＭＰａ、水素／芳香族炭化水素水素化物のモル比が０.０１〜１０の範囲で、かつ転化率が８５％以上となる条件で行うとともに、
前記水素の精製手段における水素分離膜の温度が２００℃以上で、該水素分離膜の入出差圧が２ｋｇ／ｃｍ2以上であり、水素回収率が８５％以上となる条件で脱水素反応直後の気相を精製処理することを特徴とする請求項１から５のいずれかに記載の水素製造方法。
【発明の詳細な説明】
【技術分野】
【０００１】
本発明は、芳香族炭化水素の水素化物を脱水素反応して高純度水素を製造する方法に関し、特に、小型の設備で、高い水素回収率で高純度の水素を得ることができる水素製造方法に関するものである。
【背景技術】
【０００２】
近年、環境問題やエネルギー問題から、新しいエネルギー源として水素が有望視されており、例えば、水素を直接燃料として用いる水素自動車、あるいは水素を用いる燃料電池などの開発が進められている。該燃料電池は、小型でも高い発電効率を有しており、加えて騒音や振動も発生せず、さらには廃熱を利用することができるなどの優れた利点を有している。
【０００３】
一方、水素をエネルギー源として利用するに当っては、燃料となる水素を安全にかつ安定的に供給することが欠かせない。これに対し、圧縮水素や液体水素として直接供給する方法、水素吸蔵合金やカーボンナノチューブなどの水素吸蔵材料を利用して水素を貯蔵及び供給する方法、メタノールや炭化水素を水蒸気改質して水素を供給する方法など、種々の方法が提案されている。
【０００４】
また、これらに並ぶ水素の供給方法として、近年、水素吸蔵率が高く、水素吸蔵と水素供給を繰返し行い再利用が可能であるとの理由から、芳香族炭化水素の水素化物の脱水素反応により水素を供給する方法が注目されている。
【０００５】
このような芳香族炭化水素の水素化物を用いた脱水素反応による水素の製造方法においては、通常、脱水素反応後の反応混合物には、水素ガスの他に、未反応の芳香族炭化水素の水素化物、脱水素反応により生成した芳香族炭化水素及び副生成物等が含まれているため、脱水素反応後に、反応混合物から気液分離により水素ガスを分離した後、更に水素の純度を上げるために、プレッシャースイング吸着（ＰＳＡ）や水素分離膜を用いて水素ガスの精製を行う方法が提案されている（特許文献１、特許文献２参照）。
【０００６】
更に、脱水素反応後の気相をそのまま水素分離膜に通して高純度水素を得る方法として、メンブレンリアクター方式の脱水素反応器を用いる方法が提案されている。これらは比較的低温で脱水素反応を行うことを目的としており、例えば、窒素ガスを共存させて水素分圧を下げ脱水素反応を起こりやすくする方法（特許文献３参照）、あるいは水素分離膜からの出口側を減圧にして水素回収の効率を上げる方法（非特許文献１参照）等が提案されている。
【０００７】
【特許文献１】特開２００４−１９７７０５号公報
【特許文献２】特開２００４−３９３５１号公報
【特許文献３】特開２００４−５９３３６号公報
【非特許文献１】Catal Today, Vol.82, No.1, 119-125 (2003)
【発明の開示】
【発明が解決しようとする課題】
【０００８】
しかしながら、脱水素反応後の反応混合物を気液分離した後に、ＰＳＡや水素分離膜等の精製装置を設置する場合は、装置全体を小型化するのに限界がある。その上、ＰＳＡは確立された技術であるが、装置が比較的大型になる上、水素回収率が７０％程度であるため、水素の使用目的によっては必ずしも純度が十分ではないという問題もある。
【０００９】
また、水素分離膜を用いる精製においては、上記のように、気液分離後に水素分離膜を適用した場合、気液分離のために一旦ガスを冷却しているので、そのまま水素分離膜で処理した場合は、温度が低いために水素の透過率が低く、水素の透過率を上げるために水素分離膜の性能が十分発揮される条件まで再度水素を含むガスを加熱したり、昇圧する必要が生じる。
【００１０】
一方、メンブランリアクター方式の方法では、窒素ガスタンクや減圧ポンプなどの付帯設備が必要であり、装置全体を小型化することが難しいという問題があった。
【００１１】
そこで、本発明の目的は、上記従来技術の問題を解決し、小型の設備で、高い水素回収率で高純度の水素を得ることが可能な水素の製造方法を提供することにある。
【課題を解決するための手段】
【００１２】
本発明者等は、芳香族炭化水素の水素化物の脱水素反応により製造される水素の精製方法において、装置全体の小型化に着目して誠意検討した結果、水素分離膜を脱水素反応器と一体型でなく、脱水素反応後の気相を処理するための装置として、気液分離器の前に設置し、反応温度を上げることにより、ＰＳＡ、窒素タンク、減圧ポンプなどの付帯設備をなくした簡素な設備を用いて、高純度の水素を製造できることを見出し、さらには、水素分離膜を経た後の高純度水素の一部を脱水素反応器に供給することにより、脱水素反応の副反応を抑制できることを見出し、本発明を完成するに至った。すなわち、本発明は、下記１〜６に示す水素製造方法に関するものである。
【００１３】
１．脱水素反応器中での芳香族炭化水素の水素化物の脱水素反応により高純度水素を製造する方法において、
脱水素反応直後の気相を水素分離膜を用いた水素の精製手段により純度９９.９９％以上の高純度水素とし、更に該高純度水素の一部を前記脱水素反応器へリサイクルすることを特徴とする水素製造方法。
【００１４】
２．前記脱水素反応器が固定床流通式反応器であることを特徴とする上記１に記載の水素製造方法。
【００１５】
３．前記水素分離膜がＰｄ合金膜であることを特徴とする上記１又は２に記載の水素製造方法。
【００１６】
４．前記水素分離膜がＰｄ−Ｃｕ合金膜であることを特徴とする上記３に記載の水素製造方法。
【００１７】
５．前記芳香族炭化水素の水素化物の脱水素反応に用いる脱水素反応触媒が、白金、ルテニウム、パラジウム、ロジウム、スズ、レニウム、及びゲルマニウムよりなる群から選択される少なくとも１種の金属を多孔質担体に担持してなり、平均細孔径が４０〜１３０Åの範囲であることを特徴とする上記１から４のいずれかに記載の水素製造方法。
【００１８】
６．前記脱水素反応を、ＬＨＳＶが０.５〜４、反応温度が１００℃〜４５０℃、反応圧力が常圧〜２ＭＰａ、水素／芳香族炭化水素水素化物のモル比が０.０１〜１０の範囲で、かつ転化率が８５％以上となる条件で行うとともに、
前記水素の精製手段における前記水素分離膜の温度が２００℃以上で、該水素分離膜の入出差圧が２ｋｇ／ｃｍ2以上であり、水素回収率が８５％以上となる条件で脱水素反応直後の気相を精製処理することを特徴とする上記１から５のいずれかに記載の水素製造方法。
【発明の効果】
【００１９】
本発明の水素分離膜を用いた水素製造方法によれば、付帯設備を少なくした簡素な設備により、芳香族炭化水素水素化物の脱水素反応を利用して、純度９９.９９％以上の高純度の水素を製造することができ、また、水素分離膜に通した後の高純度水素の一部を脱水素反応器に供給することにより、脱水素反応の副反応を抑制することができ、小型の装置で効率的に高純度水素を製造することができる。
【発明を実施するための最良の形態】
【００２０】
以下に、本発明の好適な実施の形態を、図１に基づいて具体的に説明する。しかしながら、本発明は、図１に示す形態に限定されるものではない。
【００２１】
本発明の水素製造方法においては、原料となる芳香族炭化水素水素化物を貯蔵するタンク１から芳香族炭化水素水素化物をポンプ等でくみ上げ、予熱後、脱水素反応器２に供給して、脱水素反応を行うことが好ましい。ここで、芳香族炭化水素水素化物の予熱は、熱交換器３で行うことが好ましく、その熱源としては、燃料をバーナー４で燃焼して発生させた熱等を用いることができ、また、芳香族炭化水素水素化物の予熱には、図示しないが、水素分離膜５を透過しリサイクル用水素を抜き出した後の高純度水素や、水素分離膜５を透過せずに気液分離器６へ流れていくガス等を熱源として用いることもできる。なお、芳香族炭化水素水素化物の予熱は、上記した熱源の２つ又は３つを組み合わせて行ってもよく、この場合、複数の熱交換器を組み合わせて用いてもよい。
【００２２】
本発明に用いる芳香族炭化水素の水素化物としては、シクロヘキサン類、デカリン類が挙げられるが、脱水素反応後生じる芳香族炭化水素の安全性、取り扱いやすさから、置換基を持つものが好ましく、メチルシクロヘキサン、エチルシクロヘキサン、ジメチルシクロヘキサン、ジエチルシクロヘキサン、トリメチルシクロヘキサンなどのアルキルシクロヘキサン、メチルデカリン、エチルデカリン、ジメチルデカリン、ジエチルデカリンなどのアルキルデカリン、およびこれらの混合物を用いることが好ましい。
【００２３】
本発明に用いる脱水素反応器２には触媒を充填し、芳香族炭化水素水素化物を供給して脱水素反応を行わせる。ここで、脱水素反応器２への供給方式としては、芳香族炭化水素水素化物を液体で供給する方式、および予熱して気体で供給する方式のいずれをとることも出来るが、特には、固定床式反応器に気体で供給することが好ましい。
【００２４】
また、脱水素反応器２に充填する脱水素反応触媒としては、白金、ルテニウム、パラジウム、ロジウム、スズ、レニウム、及びゲルマニウムよりなる群から選択される少なくとも１種の金属を多孔質担体に担持したものが好ましく、脱水素反応器２に供給する芳香族炭化水素水素化物の種類により、平均細孔径を適宜選択することが好ましい。すなわち、１環のシクロヘキサン類を用いる場合には、特に４０〜８０Åの平均細孔径を持つ触媒が好ましく、２環のデカリン類を用いる場合には、特に６５〜１３０Åの平均細孔径を持つ触媒を選択することが好ましく、いずれも好ましい細孔径をもつ細孔の容量が全細孔容量の５０％以上であることが好ましい。
【００２５】
脱水素反応触媒の平均細孔径および細孔容量の比率を制御するには、触媒の担体としてＡｌ2Ｏ3あるいはＳｉＯ2を用いることが好ましく、それぞれ単独で用いてもよいし、適当な割合で両者を組み合わせて用いてもよい。芳香族炭化水素水素化物が１環と２環の混合物である場合は、その組成により、好ましい平均細孔径をもつ触媒を混合して用いても良い。
【００２６】
また、脱水素反応触媒における金属担持率は、０.００１〜１０質量％の範囲が好ましく、０.０１〜５質量％の範囲が更に好ましい。金属担持率が０.００１質量％未満では、十分に脱水素反応を進行させることができず、一方、１０質量％を超えて金属を担持しても、金属の増量に見合う効果が得られない。
【００２７】
本発明で行う脱水素反応は、上記脱水素反応用触媒の存在下、ＬＨＳＶ：０.５〜４、反応温度：１００〜４５０℃、好ましくは２５０℃〜４５０℃、反応圧力：常圧〜２ＭＰａで、水素を流通することにより実施される。水素流通量は、水素／芳香族炭化水素水素化物のモル比で０.０１〜１０の範囲が好ましい。水素を流通させて脱水素反応を行うと、水素を流通させない場合に比べ、副反応を抑えることが出来、水素を効率的に製造できるだけでなく、脱水素反応後回収される油を再度水素化して芳香族炭化水素水素化物として再利用する際に含まれる不純物を少なくすることが出来る。さらに、水素を効率的に製造するには、転化率８５％以上になるように反応条件を選択することが好ましい。
【００２８】
脱水素反応により生成するガスは、水素を主成分とするが、その他に、未反応の芳香族炭化水素水素化物、脱水素反応により生成する芳香族炭化水素、副反応により生じるメタン、エタン等の低級炭化水素、副反応により生じるアルキルシクロペンタンなどを含むことがある。しかしながら、都市ガス、灯油、ナフサ等の改質反応により水素を製造する場合に反応生成ガス中に含まれる一酸化炭素は、芳香族炭化水素水素化物の脱水素反応生成ガス中には含まれない。
【００２９】
本発明の水素製造方法では、脱水素反応直後の気相を水素分離膜５を用いて、純度９９.９９％以上の高純度水素とする。本発明の水素製造方法では、脱水素反応直後の気相を、気液分離することなく、水素分離膜５を用いて精製するため、脱水素反応生成ガスの冷却と再加熱を要していた従来技術に比べて、エネルギー効率が高い。
【００３０】
本発明に用いる水素分離膜５としては、金属膜、ゼオライト膜、セラミック膜、高分子膜等を例示できるが、脱水素反応器２の温度、圧力、流体に含まれる成分から作動できるものとして、Ｐｄ合金膜を用いることが好ましい。該Ｐｄ合金膜としては、Ｐｄ−Ａｇ膜、Ｐｄ−Ｃｕ膜等を例示できるが、特には、圧延膜として薄膜化が可能であり、水素脆化の少ないＰｄ−Ｃｕ膜が好ましい。該Ｐｄ−Ｃｕ膜は、たとえば、米国特許第３,４３９,４７４号に記載の方法により作製することが出来る。
【００３１】
脱水素反応による生成ガスから、上記の水素分離膜５を通して純度９９.９９％以上の高純度水素を製造するためには、水素分離膜５の温度を２００℃以上、水素分離膜５の入出差圧を２ｋｇ／ｃｍ2以上とすることが好ましい。また、効率的に水素を製造するには、水素分離膜を透過して回収される水素が脱水素反応生成ガス中の水素の８５％以上となるように、差圧と温度をコントロールすることが好ましい。
【００３２】
本発明により水素分離膜５を通して製造した純度９９.９９％以上の高純度水素は、燃料電池自動車あるいは定置用燃料電池等の燃料電池向け燃料として用いることができるが、その一部を脱水素反応器２にリサイクルし、脱水素反応に必要な流通水素として用いる。なお、高純度水素は、脱水素反応器２に導入する前に、予め熱交換器３を通して予熱しておくことが好ましい。
【００３３】
脱水素反応に必要な流通水素としては、外部から導入される水素、脱水素反応器２から出る反応生成ガスの未精製ガス中に含まれる水素、水素分離膜５を透過しなかったガスに含まれる水素を用いることも出来るが、水素純度が低いと、リサイクルしているうちに水素以外のガスの濃度が高くなってしまい、水素流通下で脱水素反応を行うことの利点が十分に得られないので、水素分離膜５を透過させて得た純度９９.９９％以上の高純度水素を脱水素反応器２にリサイクルする。
【００３４】
本発明において、脱水素反応生成ガスから水素分離膜５を通らずに回収されたガスは、気液分離器６に導入され、未反応の芳香族炭化水素水素化物、脱水素反応で生成した芳香族炭化水素および副反応により発生したアルキルシクロペンタンなどの液体と、水素およびその他のガスとに分離されることが好ましい。ガス中のその他のガスには、副反応により発生した低級炭化水素、分離しきれなかった液体のベーパーが含まれる。ここで、水素およびその他のガスは、たとえば脱水素反応器２の加熱のために、他の燃料と共にバーナー４で燃焼させるなどして、熱源の原料として用いることができる。一方、未反応の芳香族炭化水素水素化物、脱水素反応で生成した芳香族炭化水素および副反応により発生したアルキルシクロペンタンなどを含む液体は、回収油タンク７に回収され、再度水素化して芳香族炭化水素水素化物として再利用することができる。
【実施例】
【００３５】
以下、実施例に基づいて本発明をより詳細に説明するが、本発明は、かかる実施例によってなんら制限されるものではない。
【００３６】
（参考例）
脱水素触媒として０.５％Ｐｔ／Ａｌ2Ｏ3触媒（平均細孔径７２.９Å、全細孔容量に占める４０〜８０Åの細孔容量の割合６０％）１０ｃｍ3を固定床流通式反応装置に充填した。芳香族炭化水素の水素化物としてメチルシクロヘキサン（ＭＣＨＸ）を用い、触媒層温度３８０℃、反応圧力０.９ＭＰａ、液空間速度（ＬＨＳＶ）＝２ｈｒ-1、水素／オイル比（Ｈ2／Ｏｉｌ）＝３ｍｏｌ／ｍｏｌの条件下で脱水素反応を行った。反応装置からの出口ガスを気液分離し、生成ガスと回収油の組成をガスクロにより分析したところ、脱水素反応転化率９３％、補正計算後（反応装置に導入した純水素ガスの量を差し引いた）発生ガス中の水素９９.９８３％、メタン０.０１％であった。
【００３７】
（実施例１）
参考例と同様の触媒２５ｃｍ3を固定床流通式反応装置に充填し、触媒層温度３５０℃、反応器入口ゲージ圧力０.７５ＭＰａ、液空間速度（ＬＨＳＶ）＝１ｈｒ-1、水素／オイル比（Ｈ2／Ｏｉｌ）＝１.３５ｍｏｌ／ｍｏｌの条件下でメチルシクロヘキサン（ＭＣＨＸ）を脱水素反応したところ、反応装置からの出口ガスは水素：トルエン（ＴＯＬ）：ＭＣＨＸ：ＴＯＬ及びＭＣＨＸ以外の炭化水素＝８０.０６：１７.９４：１.７７：０.２３（ｖｏｌ％）であり、転化率は９１％であった。このガスを３００℃の膜厚１５μｍのＰｄ−４０Ｃｕ膜に、透過膜入口ゲージ圧力０.７５ＭＰａ、透過膜出口ゲージ圧力０.０ＭＰａで通して選択透過させたところ、水素純度は９９.９９９％以上、水素回収率は９７％であった。
【００３８】
（実施例２）
参考例と同様の触媒２５ｃｍ3を固定床流通式反応装置に充填し、触媒層温度３１６℃、反応器入口ゲージ圧力０.３０ＭＰａ、液空間速度（ＬＨＳＶ）＝１ｈｒ-1、水素／オイル比（Ｈ2／Ｏｉｌ）＝１.３５ｍｏｌ／ｍｏｌの条件下でメチルシクロヘキサン（ＭＣＨＸ）を脱水素反応したところ、反応装置からの出口ガスは水素：トルエン（ＴＯＬ）：ＭＣＨＸ：ＴＯＬ及びＭＣＨＸ以外の炭化水素＝８０.５４：１７.０２：２.４２：０.０２（ｖｏｌ％）であり、転化率は８８％であった。このガスを３００℃の膜厚１５μｍのＰｄ−４０Ｃｕ膜に、透過膜入口ゲージ圧力０.３ＭＰａ、透過膜出口ゲージ圧力０.０ＭＰａで通して選択透過させたところ、水素純度は９９.９９９％以上、水素回収率は８９％であった。
【００３９】
（比較例１）
参考例と同様の触媒４ｃｍ3を固定床流通式反応装置に充填し、触媒層温度３７０℃、反応圧力０.９ＭＰａ、液空間速度（ＬＨＳＶ）＝２ｈｒ-1、窒素／オイル比（Ｎ2／Ｏｉｌ）＝０.００７ｍｏｌ／ｍｏｌの条件下でメチルシクロヘキサン（ＭＣＨＸ）を脱水素反応した。反応装置からの出口ガスを気液分離し、生成ガスと回収油の組成をガスクロにより分析したところ、脱水素反応転化率９３％、補正計算後（反応装置に導入した純水素ガスの量を差し引いた）発生ガス中の水素９９.９０％、メタン０.０９％であった。水素流通下の参考例１に比べると発生ガス中の水素純度が低く、副反応にともなうメタンの含有量が多くなった。
【図面の簡単な説明】
【００４０】
【図１】本発明の水素製造方法の一態様を示す模式図である。
【符号の説明】
【００４１】
１  芳香族炭化水素水素化物タンク
２  脱水素反応器
３  熱交換器
４  バーナー
５  水素分離膜
６  気液分離器
７  回収油タンク
【図１】
2006232607.tif 000003